(57)【要約】【課題】力の弱い女性等でも無理なく安心して使うことができる操作性と機能性を兼ね備えたハンドクリーナを提供する。【解決手段】本発明のハンドクリーナ１は、ボトル装着部３と、操作グリップ５と、摺接体７と、洗浄液供給経路１１と、操作片１３を備えるポンプ部１５とを具備する、ペットボトルＰを洗浄液収容容器として利用した手持ち式の清掃具であって、上記ボトル装着部３を上記摺接体７の設置部位９の近傍の上方位置Ｈに配置し、上記ボトル装着部３に装着したペットボトルＰ内の洗浄液Ｓの自重Ｇが操作グリップ５から摺接体７の設置部位９にかけて延びる柄１７の軸線Ｌ上に作用するように設けることによって構成されている。【選択図】  図６
2014217594.tif 000002
【特許請求の範囲】
【請求項１】
ペットボトルを洗浄液収容容器として利用した手持ち式の清掃具において、
上記ペットボトルを装着するボトル装着部と、
清掃作業時に手で握って操作する操作グリップと、
被清掃部位に直接作用させる摺接体と、
上記ペットボトル内の洗浄液を上記摺接体の設置部位またはその近傍に導く洗浄液供給経路と、
上記洗浄液供給経路の途中に設けられ、操作片のＯＮ、ＯＦＦ及び操作量に応じて洗浄液の吐出の開始と停止の切り替え及び洗浄液の吐出量を加減し得るポンプ部と、を具備し、
上記ボトル装着部は、上記摺接体の設置部位近傍の上方位置に設けられており、該ボトル装着部に装着したペットボトル内の洗浄液の自重が上記操作グリップから上記摺接体の設置部位にかけて延びる柄の軸線上に作用するように配置されていることを特徴とするハンドクリーナ。
【請求項２】
上記摺接体は、被清掃部位や清掃の目的の違いに対応した形状、大きさないし構造の違う複数の種類の摺接体が予め用意されており、これらの摺接体を適宜付け替えて使用し得るように着脱自在に設けられていることを特徴とする請求項１記載のハンドクリーナ。
【請求項３】
上記洗浄液供給経路の途中ないし上記ボトル装着部内には、作業中のペットボトル内の圧力低下を防止するための逆止弁が設けられていることを特徴とする請求項１または２記載のハンドクリーナ。
【請求項４】
上記ポンプ部の操作片は、上記操作グリップを片手で握った状態で、同じ手で操作できるよう、上記操作グリップ自体またはその近傍位置に配置されていることを特徴とする請求項１〜３のいずれかに記載のハンドクリーナ。
【請求項５】
上記ボトル装着部には、上記洗浄液供給経路をペットボトルの内部空間底部に延長するための延長ホースが着脱可能に装着し得るように構成されていることを特徴とする請求項１〜４のいずれかに記載のハンドクリーナ。
【発明の詳細な説明】
【技術分野】
【０００１】
本発明は、ペットボトルを洗浄液収容容器として利用した手持ち式の清掃具に関する。
【背景技術】
【０００２】
例えば飲料水等を飲んだ後の使用済みペットボトルを洗浄液収容容器として利用し、該ペットボトル内の洗浄液を少量ずつ被清掃部位に滴下ないし噴霧しながらブラシ等で被清掃部位を擦すって被清掃部位にこびりついた汚れを除去する手持ち式の清掃具が下記の特許文献１〜４に示すように種々提案されている。
【０００３】
このうち特許文献１〜３に示す清掃具は、ペットボトルを持ち手としてそのまま利用した構成の清掃具であり、ペットボトルの注ぎ口の雄ネジ部に螺合する雌ネジ部が刻設された本体部と該本体部に取り付けられたブラシ等の摺接体とを基本的に備えるだけのシンプルな構造のハンドクリーナである。
また、特許文献４に示す清掃具は、ブラシとペットボトルとの間にアームを接続し、該アームに取り付けた取手を握って作業するようにした構造のハンドクリーナである。
【先行技術文献】
【特許文献】
【０００４】
【特許文献１】特開２０１２−１８３９８８号公報
【特許文献２】特開２０１２−１４４２３３号公報
【特許文献３】実用新案登録第３１３３４４１号公報
【特許文献４】特開２０１０−１５５００４号公報
【発明の概要】
【発明が解決しようとする課題】
【０００５】
しかしながら、上記特許文献１〜３に示すハンドクリーナのように、ペットボトルを持ち手としてそのまま利用すると、ペットボトルが必ずしも握り易い形状や直径に形成されていないため長時間に及ぶ清掃作業では、だんだん重くなって作業が大変になってくることがあった。
また、ペットボトル自体を持ち手として利用すると清掃作業中、しつこくこびりついた汚れを除去しようとして不用意に力を入れた時にペットボトルを強く握ってしまうことがあり、このような場合には洗浄液が多く出過ぎてしまうことがあった。
また、ペットボトルを持った手に力を入れた時に、ブラシ等の摺接体とペットボトルとの接続部位に大きな力がかかるため、作業中、ペットボトルから摺接体が外れて、ペットボトル内の洗浄液がこぼれ出るおそれもあった。
【０００６】
一方、上記特許文献４に示すハンドクリーナのように、予め握り易い形状や直径に形成されている取手を使用すれば、上述した種々の問題点は解決ないし軽減されるが、特許文献４では、支点となる取手の後方（ブラシが取り付けられている方向と反対の方向）にペットボトルが取り付けられているため、ブラシを被清掃部位に押し付けようとする時、逆にペットボトル内の洗浄液の自重によってブラシを被清掃部位から遠ざける逆方向の力が作用してしまう。
したがって、清掃作業中は常に上記逆方向の力に抗する力を加え続けなければならず、清掃作業が長時間に及べば作業者にかかる負担が大きくなって特に力の弱い女性等が多く使用することが予想される環境を考えれば、必ずしも使い易いハンドクリーナとはなっていなかった。
【０００７】
本発明はこのような点に基づいてなされたもので、その目的とするところは、力の弱い女性や子供でも使い易く、作業者にかかる負担が少ない、洗浄液の吐出量を自由に加減することができる操作性と機能性を兼ね備え、条件の違う種々の清掃作業にも対応できるハンドクリーナを提供することにある。
【課題を解決するための手段】
【０００８】
上記目的を達成するべく本発明の請求項１によるハンドクリーナは、ペットボトルを洗浄液収容容器として利用した手持ち式の清掃具において、上記ペットボトルを装着するボトル装着部と、清掃作業時に手で握って操作する操作グリップと、被清掃部位に直接作用させる摺接体と、上記ペットボトル内の洗浄液を上記摺接体の設置部位またはその近傍に導く洗浄液供給経路と、上記洗浄液供給経路の途中に設けられ、操作片のＯＮ、ＯＦＦ及び操作量に応じて洗浄液の吐出の開始と停止の切り替え及び洗浄液の吐出量を加減し得るポンプ部と、を具備し、上記ボトル装着部は、上記摺接体の設置部位近傍の上方位置に設けられており、該ボトル装着部に装着したペットボトル内の洗浄液の自重が上記操作グリップから上記摺接体の設置部位にかけて延びる柄の軸線上に作用するように配置されていることを特徴とするものである。
【０００９】
また、請求項２によるハンドクリーナは、請求項１記載のハンドクリーナにおいて、上記摺接体は、被清掃部位や清掃の目的の違いに対応した形状、大きさないし構造の違う複数の種類の摺接体が予め用意されており、これらの摺接体を適宜付け替えて使用し得るように着脱自在に設けられていることを特徴とするものである。
【００１０】
また、請求項３によるハンドクリーナは、請求項１または２記載のハンドクリーナにおいて、上記洗浄液供給経路の途中ないし上記ボトル装着部内には、作業中のペットボトル内の圧力低下を防止するための逆止弁が設けられていることを特徴とするものである。
【００１１】
また、請求項４によるハンドクリーナは、請求項１〜３のいずれかに記載のハンドクリーナにおいて、上記ポンプ部の操作片は、上記操作グリップを片手で握った状態で、同じ手で操作できるよう、上記操作グリップ自体またはその近傍位置に配置されていることを特徴とするものである。
【００１２】
また、請求項５によるハンドクリーナは、請求項１〜４のいずれかに記載のハンドクリーナにおいて、上記ボトル装着部には、上記洗浄液供給経路をペットボトルの内部空間底部に延長するための延長ホースが着脱可能に装着し得るように構成されていることを特徴とするものである。
【００１３】
そして、上記手段によって以下のような作用が得られる。まず、本発明のハンドクリーナによると、清掃作業時に手で握って操作する操作グリップがペットボトルとは別に設けられているから、清掃作業が長時間に及んでも疲れにくい作業者の負担の少ない構造になっている。
また、操作グリップを握っての清掃作業となるから、操作グリップを強く握ってもペットボトル内の洗浄液が多く出過ぎたり、ボトル装着部からペットボトルが外れてペットボトル内の洗浄液が外部にこぼれ出る心配もない。
【００１４】
また、洗浄液の吐出の開始と停止の切り替え及び洗浄液の吐出量の加減は、操作片の操作に応じて動作するポンプ部によって行っているから、より細かな洗浄液の吐出の開始と停止の切り替え及び洗浄液の吐出量の微調整が可能になる。
更に、本発明の特徴的構成として、ボトル装着部が摺接体の設置部位近傍の上方位置に設けられており、該ボトル装着部に装着したペットボトル内の洗浄液の自重が操作グリップから摺接体の設置部位にかけて延びる柄の軸線上に作用するように配置されているから、ペットボトル内の洗浄液の自重は、摺接体を被清掃部位に押し付ける方向に作用する。したがって、作業者は、当該洗浄液の自重に抗するような不自然な力を作用させることなく、力の弱い女性でも長時間の清掃作業に耐えられる負担が少なく使い勝手の良いハンドクリーナを提供し得るようになる。
【００１５】
また、摺接体を被清掃部位や清掃の目的の違いに対応した形状、大きさないし構造の違う複数の種類予め用意しておき、これらの摺接体を適宜付け替えて使用し得るように着脱自在に設けた場合には、被清掃部位や清掃の目的の違いに限定されない条件の違う種々の環境でのハンドクリーナの使用が可能になって、所望の清掃効果を得ることが可能になる。
【００１６】
また、洗浄液供給経路の途中ないしボトル装着部内に作業中のペットボトル内の圧力低下を防止するための逆止弁を設けた場合には、上記ペットボトル内の圧力低下に起因する洗浄液の吐出量の減少を防止することができ、清掃作業中の洗浄液の安定した吐出量を確保することが可能になる。
【００１７】
また、ポンプ部の操作片を操作グリップ自体またはその近傍位置に配置した場合には、操作グリップを片手で握った状態で同じ手でポンプ部の操作片が操作できるから、より使い勝手の良いガンタイプのハンドクリーナを提供することが可能になる。
【００１８】
また、ボトル装着部に対して洗浄液供給経路をペットボトルの内部空間底部に延長するための延長ホースを着脱可能に装着できるように構成した場合には、天井面や壁面での上向き姿勢での清掃作業に対しても安定した洗浄液の吐出量を確保することが可能になる。
【発明の効果】
【００１９】
本発明のハンドクリーナによると、力の弱い女性や子供でも使い易く、作業者にかかる負担が少なく、洗浄液の吐出量を自由に加減することができる操作性と機能性を兼ね備えたハンドクリーナを提供することが可能になる。
また、条件の違う種々の清掃作業にも対応し得るハンドクリーナを提供することも可能になる。
【図面の簡単な説明】
【００２０】
【図１】本発明の実施の形態を示す図で、ハンドクリーナの使用状態を示す斜視図である。
【図２】本発明の実施の形態を示す図で、ハンドクリーナを示す側面図である。
【図３】本発明の実施の形態を示す図で、ハンドクリーナを示す正面図である。
【図４】本発明の実施の形態を示す図で、ハンドクリーナを示す背面図である。
【図５】本発明の実施の形態を示す図で、ハンドクリーナを示す平面図である。
【図６】本発明の実施の形態を示す図で、ハンドクリーナを示す図４中のＡ−Ａ断面図である。
【図７】本発明の実施の形態を示す図で、ハンドクリーナを示す図５中のＢ−Ｂ断面図である。
【図８】本発明の実施の形態を示す図で、ハンドクリーナを示す図６中のＣ−Ｃ断面図である。
【図９】本発明の実施の形態を示す図で、ハンドクリーナを示す図６中のＤ−Ｄ断面図である。
【図１０】本発明の実施の形態を示す図で、ハンドクリーナを示す図６中のＥ−Ｅ断面図である。
【図１１】本発明の実施の形態を示す図で、付け替え可能な摺接体の種々の態様を示す説明図である。
【図１２】本発明の実施の形態を示す図で、ハンドクリーナの他の使用状態を示す斜視図である。
【発明を実施するための形態】
【００２１】
以下、図１〜図１２に示す実施の形態を例にとって、本発明のハンドクリーナの構成と使用態様について具体的に説明する。
本発明のハンドクリーナ１は、飲料水等を飲んだ後の使用済みのペットボトルＰを洗浄液Ｓを収容する容器として利用した手持ち式の清掃具である。
具体的には、上記ペットボトルＰを装着するボトル装着部３と、清掃作業時に手で握って操作する操作グリップ５と、被清掃部位Ｗに直接作用させる摺接体７と、上記ペットボトルＰ内の洗浄液Ｓを上記摺接体７の設置部位９またはその近傍に導く洗浄液供給経路１１と、上記洗浄液供給経路１１の途中に設けられ、操作片１３のＯＮ、ＯＦＦ及び操作量に応じて洗浄液Ｓの吐出の開始と停止の切り替え及び洗浄液Ｓの吐出量を加減し得るポンプ部１５と、を具備することによって基本的に構成されている。
【００２２】
そして、本発明の特徴的構成として、上記ボトル装着部３が上記摺接体７の設置部位９近傍の上方位置Ｈに設けられており、該ボトル装着部３に装着したペットボトルＰ内の洗浄液Ｓの自重Ｇが上記操作グリップ５から上記摺接体７の設置部位９にかけて延びる柄１７の軸線Ｌ上に作用するように配置されている。
尚、本明細書において使用する上方位置Ｈとは、図１、２に示すように上記摺接体７及び操作グリップ５を水平に保持して床面等の被清掃部位Ｗを清掃する場合に上方となる位置を意味する。
【００２３】
また、図示の実施の形態では、上記摺接体７の設置部位９とボトル装着部３とを備え、内部に上記洗浄液供給経路１１が配置された本体部１９と、該本体部１９の後部から斜め後方上部に向って延長形成され、内部に上記ポンプ部１５が配置された上述した柄１７と、該柄１７の後端から後方に向って水平に延びる上述した操作グリップ５と、を一体に形成した構成のガンタイプのハンドクリーナ１が例示されている。
【００２４】
ボトル装着部３は、ペットボトルＰの注ぎ口の首部２１を収容する凹部２３と、上記首部２１の外周面に刻設されている雄ネジ部２５と螺合する雌ネジ部２７とを備えることによって構成されており、上記凹部２３の底部には、上記洗浄液供給経路１１にペットボトルＰ内の洗浄液Ｓを供給するための供給口２９と、作業中のペットボトルＰ内の圧力低下を防止するための逆止弁３１と、が設けられている。
尚、このうち逆止弁３１は、図６に示すように後述するポンプ部１５の操作片１３を操作した作動時に閉状態になってペットボトルＰ内の洗浄液Ｓの外部への流出を防止し、後述するポンプ部１５の操作片１３から指を離した非作動時に負圧になって開状態になり、外部の空気をペットボトルＰ内に供給してペットボトル内の圧力低下を防止するように作用する。
【００２５】
また、ペットボトルＰ内に収容する洗浄液Ｓとしては、単なる水でも良いし液体状ないしフォーム状の洗剤でもよい。また、汚れを落とすのに一般に使用されている種々の薬品等を水や油に希釈させたものが一例として適用可能である。
操作グリップ５は、図示のように手の形状に馴染んだ握り易い形状が望ましく、操作グリップ５の直径や長さも長時間、清掃作業をしても疲れの少ない最適な直径と長さに設定する。また、操作グリップ５の表面には滑りにくい加工を施したり、ラバー等の滑り止め機能を有する部材を貼設することが望ましい。
【００２６】
摺接体７としては、ブラシ状のものが一例として適用でき、ブラシの毛の線径、材質、カットライン、本数等を変えることで目的や用途の異なる種々の使用環境に対応可能である。
また、本実施の形態では摺接体７の基部３３と、上記摺接体７の設置部位９との間にワンタッチで摺接体７を付け替えることを可能にするスライド係合構造３５が適用されている。
尚、スライド係合構造３５としては種々の構造が採用でき、図示は省略するが一例として摺接体７の基部３３の内方に突出させた係合爪を摺接体７の設置部位９の外周面に刻設させた係合溝に係合させることでスライド係合させ、装着端に設けた凹凸係合手段によって摺接体７の当該装着状態を保持するようにした構造が一例として採用可能である。
【００２７】
また、このように付け替え可能な摺接体７を採用する場合には、被清掃部位Ｗや清掃の目的の違いに対応した形状、大きさないし構造の違う複数の種類の摺接体７を図１１に示すように予め用意しておくことが可能である。
このうち、図１１（ａ）に示す摺接体７Ａは、玄関、バルコニー、ベランダ等のタイル地のように傷を付ける心配のない広い面積の硬い材質の被清掃部位Ｗに適したハードタイプのブラシ毛を幅広に配設したハード（ワイド）ブラシタイプの摺接体７Ａを図示している。
【００２８】
また、図１１（ｂ）に示す摺接体７Ｂは、部屋や廊下の床面のように傷を付ける心配のある広い面積の柔かい材質の被清掃部位Ｗに適したソフトタイプのブラシ毛を幅広に配設したソフト（ワイド）ブラシタイプの摺接体７Ｂを図示している。
また、図１１（ｃ）に示す摺接体７Ｃは、サッシや目地等の幅狭の溝部等によって構成されている被清掃部位Ｗに適した先端部にハードタイプ、その後方にソフトタイプのブラシ毛を幅狭に配設したハード・ソフト混合（スリム）ブラシタイプの摺接体７Ｃを図示している。また、図１１（ｃ）では、ブラシ先端部が正面視Ｖ字状になるようにラインカットされているものを例示している。
【００２９】
また、アルミニウム製の枠材のように複雑な断面形状をしたレールや洗面所、風呂椅子の裏など、拭きにくい形状をした被清掃部位Ｗに対しては、図１１（ｄ）に示すように柔らかな素材の短寸の紐状の部材を放射状に束ねた球形モップタイプの摺接体７Ｄを適用することが可能である。
また、窓ガラス等、垂直姿勢で立設されている平滑面によって構成されている被清掃部位Ｗに対しては、図１１（ｅ）に示すように横に長い平板状をしたワイパータイプの摺接体７Ｅを適用することが可能である。
【００３０】
更に、網戸等のメッシュ状をした強度の弱い被清掃部位Ｗに対しては、図１１（ｆ）に示すように例えばウレタン層とメラミン層を積層した構造のスポンジタイプの摺接体７Ｆを適用することが可能である。
また、これらの摺接体７は、上述のように被清掃部位Ｗの形状や大きさ、硬さ等の性状の違いに分けて使い分ける他、清掃の前処理段階、本格的な清掃段階、仕上げ段階等で適宜切り替えて使用することも可能である。
【００３１】
洗浄液供給経路１１は、図６に示すように一例として供給側の第１チューブ３７と吐出側の第２チューブ３９の２本のチューブによって構成されている。このうち、供給側の第１チューブ３７の一端は、上述したボトル装着部３に形成されている供給口２９に接続され、供給側の第１チューブ３７の他端は、第１弁体４１を介して次に述べるポンプ部１５のシリンダ室４５に接続されている。
一方、吐出側の第２チューブ３９の一端は、上述した摺接体７の設置部位９近傍の前方上部に配置されているノズル４７に接続され、吐出側の第２チューブ３９の他端は、上記第１弁体４１と対向する位置に設けられている第２弁体４３を介して次に述べるポンプ部１５のシリンダ室４５に接続されている。
【００３２】
ポンプ部１５は、上述した操作片１３と、該操作片１３の動きを先端に設けられている円板状のピストン４９に伝達する連結ロッド５１と、上記ピストン４９の先端面と上記シリンダ室４５の底面との間に縮設されている付勢バネ５３と、を具備することによって一例として構成されている。
このうち、操作片１３は、ピストルの引き金様の形状をした回動レバー式の部材によって一例として構成されており、該操作片１３は上記操作グリップ５を片手で握った状態で同じ手で操作できるよう、上記操作グリップ５の近傍の柄１７における上端部の傾斜した下面から突出するように設けられている。
【００３３】
この他、本実施の形態にあっては、上記ボトル装着部３に対して上記洗浄液供給経路１１をペットボトルＰの内部空間底部に延長するための図６及び図１１（ｅ）に示す延長ホース５５が着脱可能に装着し得るように構成されている。
因みにこの延長ホース５５は、図１２に示すように垂直姿勢で立設されている窓ガラスや壁面等を清掃する場合に、洗浄液Ｓの減少に起因する洗浄液Ｓの吐出量の低下を防止する目的で使用される。
【００３４】
次に、このようにして構成される本発明のハンドクリーナ１の使用態様を（１）下向き水平姿勢で使用する場合と、（２）垂直姿勢で使用する場合と、に分けて説明する。
（１）下向き水平姿勢で使用する場合（図１、２及び図６参照）
例えば玄関、バルコニー、ベランダ等のタイルが敷き詰められた床面を被清掃部位Ｗとして清掃作業を行う場合には、上述したノズル４７と摺接体７を下に向けて、摺接体７と操作グリップ５を水平に保持した水平姿勢で清掃作業を行う。
【００３５】
この場合、片方の手の人差し指を除く４本の指と手の平で操作グリップ５を握り、人差し指を操作片１３にかけて清掃作業を実施する。
ボトル装着部３に対して、下向きの傾斜姿勢で装着されたペットボトルＰ内の洗浄液Ｓをノズル４７から吐出させる場合には、人差し指を手前に引いて操作片１３を操作グリップ５側に回動させる。
操作片１３が回動すると、連結ロッド５１をシリンダ室４５側に移動させて、該連結ロッド５１の先端のピストン４９をシリンダ室４５内に進入させて付勢バネ５３を収縮させる。
【００３６】
また、上記ピストン４９の移動に伴ってシリンダ室４５内は加圧され第１弁体４１は閉、第２弁体４３は開状態になり、シリンダ室４５内に流入した洗浄液Ｓは、開状態の第２弁体４３及び吐出側の第２チューブ３９を通ってノズル４７に至り、当該ノズル４７から被清掃部位Ｗに向けて上記操作片１３の操作量に対応した所定量が吐出される。
尚、この時逆止弁３１は閉状態になっているため該逆止弁３１からの外部への洗浄液Ｓの流出は防止されている。
【００３７】
一方、ノズル４７から必要な量の洗浄液Ｓが吐出されたら、操作片１３を引いていた人差し指の力を弱めて操作片１３を摺接体７側に回動させる。この時、操作片１３には、連結ロッド５１を介して付勢バネ５３による伸張方向の付勢力が常時かかっているため当該付勢バネ５３の付勢力によって操作片１３は摺接体７側に回動した元の状態に自動的に復帰し、シリンダ室４５内は負圧となり第１弁体４１は開、第２弁体４３は閉状態になって供給側の第１チューブ３７から吐出側の第２チューブ３９への洗浄液Ｓの流入は停止され、また、ペットボトルＰ内の洗浄液Ｓは、供給口２９及び供給側の第１チューブ３７を通ってシリンダ室４５内に流入し、次の噴射に備える。
尚、逆止弁３１は開状態に移行して外部の空気をペットボトルＰ内に流入させてペットボトルＰ内の圧力低下を防止する。
【００３８】
次に、洗浄液Ｓがかかった被清掃部位Ｗに対して操作グリップ５を持って摺接体７を押し付けた状態で前後に移動させて被清掃部位Ｗに付着している汚れを除去する。
以下、同様にして洗浄液Ｓの吐出と摺接体７による拭き取り作業を所定回数、繰り返して必要な面積の清掃作業を実施する。
また、タイルの目地等の清掃を行う場合には、摺接体７を目地用の摺接体７に付け替えて清掃作業を行う。
【００３９】
（２）垂直姿勢で使用する場合（図６、図１１（ｅ）及び図１２参照）
例えば垂直姿勢で立設されている窓ガラスを被清掃部位Ｗとして清掃作業を行う場合には、図１１（ｅ）及び図１２に示すワイパータイプの摺接体７に付け替え、ボトル装着部３内の供給口２９に図６中、仮想線で示すように延長ホース５５を装着する。
そして、この場合には図１２に示すように本発明のハンドクリーナ１を斜め上方にかざすように垂直姿勢で保持し、ワイパータイプの摺接体７を被清掃部位Ｗに押し付けながら上下に移動させて拭き取り作業を実施する。
【００４０】
また、洗浄液Ｓを吐出させる場合の操作は、上述した下向き水平姿勢で使用する場合と同じであり、上記延長ホース５５を装着したことによって、洗浄液Ｓがなくなるまで洗浄液Ｓの必要な吐出量を保って清掃作業を行うことが可能になっている。
尚、本発明のハンドクリーナ１を垂直姿勢で使用する場合には、洗浄液Ｓの自重Ｇが摺接体７側にかからないが、図１２に示すように柄１７を介して作業着の腕で支える状態になるため、摺接体７のふらつきを防止して安定した窓ガラス等の清掃が可能になっている。
【００４１】
そして、このようにして構成される本発明のハンドクリーナ１によると、力の弱い女性や子供でも使い易く、作業者にかかる負担の軽減が図られる。そして、洗浄液Ｓの吐出量の加減が容易で条件の違う種々の清掃作業にも対応できる操作性と機能性を兼ね備えたハンドクリーナ１を提供できるようになる。
【００４２】
尚、本発明のハンドクリーナ１は、上記の実施の形態のものに限定されず、その発明の要旨内での変更が可能である。
例えば、ノズル４７を設置する位置は、上述した摺接体７の設置部位９近傍の前方上部位置に限らず、摺接体７の設置部位９近傍の他の位置や摺接体７の設置部位９自体に対して設けることが可能である。
【００４３】
また、付け替え可能な摺接体７を本体部１９の設置部位９に取り付けるための構造も、上述したスライド係合構造３５に限らず嵌め込み式、ネジ式等、他の取付け構造を採用することが可能である。
【００４４】
更に、ポンプ部１５の構造も上述した構造のポンプ部１５に限らず、種々の構造のポンプ部１５が採用可能であり、操作片１３は操作グリップ５側に配置することが可能であり、押しボタン式の操作片１３を採用することも可能である。
【産業上の利用可能性】
【００４５】
本発明のハンドクリーナは、部屋の内外や車の清掃等、身の回りの清掃を行う場合に利用でき、特にペットボトルを洗浄液収容容器として利用した手持ち式の清掃具において、力の弱い女性等でも無理なく安心して使うことができる操作性と機能性を兼ね備えたハンドクリーナを提供したい場合に利用可能性を有する。
【符号の説明】
【００４６】
１  ハンドクリーナ
３  ボトル装着部
５  操作グリップ
７  摺接体
９  設置部位
１１  洗浄液供給経路
１３  操作片
１５  ポンプ部
１７  柄
１９  本体部
２１  首部
２３  凹部
２５  雄ネジ部
２７  雌ネジ部
２９  供給口
３１  逆止弁
３３  基部
３５  スライド係合構造
３７  （供給側の）第１チューブ
３９  （吐出側の）第２チューブ
４１  第１弁体
４３  第２弁体
４５  シリンダ室
４７  ノズル
４９  ピストン
５１  連結ロッド
５３  付勢バネ
５５  延長ホース
Ｐ  ペットボトル
Ｓ  洗浄液
Ｗ  被清掃部位
Ｈ  上方位置
Ｇ  自重
Ｌ  軸線
【図１】
2014217594.tif 000003
【図２】
2014217594.tif 000004
【図３】
2014217594.tif 000005
【図４】
2014217594.tif 000006
【図５】
2014217594.tif 000007
【図６】
2014217594.tif 000008
【図７】
2014217594.tif 000009
【図８】
2014217594.tif 000010
【図９】
2014217594.tif 000011
【図１０】
2014217594.tif 000012
【図１１】
2014217594.tif 000013
【図１２】
2014217594.tif 000014